(57)【要約】【課題】本発明は、種子を戴置して水耕栽培するための、平面状の本体から構成された栽培床を提供する。【解決手段】本体１０２は、栽培床１０１が配置される培養液１０９に浮遊することができ、種子１１０を戴置する側の第１の面１０３と、培養液１０９に接する側の第２の面１０３とを有し、本体１０２には、種子１１０を戴置できるように、第１の面１０３に接する第１の領域１０６から中間領域１０７を介して第２の面１０４に接する第２の領域１０８まで貫通する孔１０５が設けられ、孔１０５の半径が、第１の領域１０６において、第１の面１０３から中間領域１０７に向かって小さくなっている。【選択図】図３
2019017321.tif 000002
【特許請求の範囲】
【請求項１】
種子を戴置して水耕栽培するための、平面状の本体から構成された栽培床であって、
前記本体は、前記栽培床が配置される培養液に浮遊することができ、前記種子を戴置する側の第１の面と、前記培養液に接する側の第２の面とを有し、
前記本体には、前記種子を戴置できるように、前記第１の面に接する第１の領域から中間領域を介して前記第２の面に接する第２の領域まで貫通する孔が設けられ、
前記孔の半径が、前記第１の領域において、前記第１の面から前記中間領域に向かって小さくなっている、栽培床。
【請求項２】
前記孔の半径が、前記第１の領域において、前記第１の面から前記中間領域に向かって線形的に小さくなっている、請求項１に記載の栽培床。
【請求項３】
前記第１の領域において、前記孔の形状は略円錐台である、請求項１又は２に記載の栽培床。
【請求項４】
前記種子の種類に応じて、前記第１の領域の寸法が設定されている、請求項１〜３の何れか一項に記載の栽培床。
【請求項５】
前記孔の半径が、前記中間領域において一定である、請求項１〜４の何れか一項に記載の栽培床。
【請求項６】
前記孔の半径が、前記第２の領域において、前記中間領域から前記第２の面に向かって大きくなっている、請求項１〜５の何れか一項に栽培床。
【請求項７】
前記孔の半径が、前記第２の領域において、前記中間領域から前記第２の面に向かって線形的に大きくなっている、請求項６に記載の栽培床。
【請求項８】
前記第２の領域において、前記孔の形状は略円錐台である、請求項６又は７に記載の栽培床。
【請求項９】
前記第２の領域の少なくとも一部が前記培養液によって浸水して、前記種子の下端が前記培養液に接触できるように、前記第２の領域の寸法が設定されている、請求項６〜８の何れか一項に記載の栽培床。
【請求項１０】
複数の前記孔が設けられ、各孔に前記種子が戴置できるようになっている、請求項１〜９の何れか一項に記載の栽培床。
【請求項１１】
前記本体が、発泡材から製造されている、請求項１〜１０の何れか一項に記載の栽培床。
【請求項１２】
前記種子が、にんにくの鱗片である、請求項１〜１１の何れか一項に記載の栽培床。
【発明の詳細な説明】
【技術分野】
【０００１】
本発明は、にんにく、らっきょう、たまねぎ、等の鱗茎を有するネギ属の種子を戴置して水耕栽培するための栽培床に関するものである。
【背景技術】
【０００２】
土壌栽培は、天候に左右されやすく、栽培する時期が限られ、栽培する地域の気候や土壌に合った品種を選択しなければならない、等の制約がある。これらの制約を解決するために、様々な水耕栽培方法が試みられている。
【０００３】
特許文献１には、にんにくの鱗茎を、網目状を有する栽培カゴ上に載置して、その状態で栽培槽に収容し、栽培カゴ上に載置したにんにくの鱗茎の底部が水中に位置するように培養液を栽培槽内で水位調整並びに循環給水させ、栽培カゴ上でにんにくの鱗茎より葉鞘を生育させる水耕栽培方法が開示されている。
【０００４】
特許文献２には、にんにくの鱗片の下端を水に浸して発根させた後、鱗片の下端と水面との間に所定の間隔を設け、光の照射下、培養液中に酸素を供給しながらにんにくを水耕栽培する方法が開示されている。
【先行技術文献】
【特許文献】
【０００５】
【特許文献１】特開２００９−１４２２０１号公報
【特許文献２】特開２０１０−６３４１４号公報
【発明の概要】
【発明が解決しようとする課題】
【０００６】
特許文献１の水耕栽培方法は、にんにくの鱗茎を網目状の栽培カゴ上に載置することから、載置する鱗茎の寸法の選別は別途行わなければならないという問題点がある。また、鱗茎と培養液との接触面が広くなると鱗茎が腐敗する虞があり、そのために、鱗茎の底部のみに培養液が接触するように、培養液を栽培槽内で水位調整しなければならないという問題点がある。
【０００７】
特許文献２の水耕栽培方法は、にんにくの鱗片の下端を水に浸して発根させ、その後、鱗片の下端と水面との間に所定の間隔を設けることによってにんにくを水耕栽培することから、発根の前後に分けて鱗片の下端と水面との間の間隔を調整しなければならないという問題点がある。
【０００８】
従って、本発明の目的は、上記問題点を解決して、種子の植付けを短時間且つ簡単な作業で行うことができる、水耕栽培のための栽培床を提供することである。
【課題を解決するための手段】
【０００９】
本発明の１つの観点によれば、種子を戴置して水耕栽培するための、平面状の本体から構成された栽培床であって、本体は、栽培床が配置される培養液に浮遊することができ、種子を戴置する側の第１の面と、培養液に接する側の第２の面とを有し、本体には、種子を戴置できるように、第１の面に接する第１の領域から中間領域を介して第２の面に接する第２の領域まで貫通する孔が設けられ、孔の半径は、第１の領域において、第１の面から中間領域に向かって小さくなっている。
【００１０】
本発明の一具体例によれば、栽培床の本体に設けられた孔の半径は、第１の領域において、第１の面から中間領域に向かって線形的に小さくなっている。
【００１１】
本発明の一具体例によれば、栽培床の本体に設けられた孔の形状は、第１の領域において略円錐台である。
【００１２】
本発明の一具体例によれば、栽培床の本体に設けられた孔の第１の領域の寸法は、種子の種類に応じて設定されている。
【００１３】
本発明の一具体例によれば、栽培床の本体に設けられた孔の半径は、中間領域において一定である。
【００１４】
本発明の一具体例によれば、栽培床の本体に設けられた孔の半径は、第２の領域において、中間領域から第２の面に向かって大きくなっている。
【００１５】
本発明の一具体例によれば、栽培床の本体に設けられた孔の半径は、第２の領域において、中間領域から第２の面に向かって線形的に大きくなっている。
【００１６】
本発明の一具体例によれば、栽培床の本体に設けられた孔の形状は、第２の領域において略円錐台である。
【００１７】
本発明の一具体例によれば、栽培床の本体に設けられた孔の第２の領域の寸法は、第２の領域の少なくとも一部が培養液によって浸水して、種子の下端が培養液に接触できるように設定されている。
【００１８】
本発明の一具体例によれば、栽培床の本体に複数の上記孔が設けられ、各孔に種子が戴置できるようになっている。
【００１９】
本発明の一具体例によれば、栽培床の本体は、発泡材から製造されている。
【００２０】
本発明の一具体例によれば、栽培床に戴置される種子は、にんにくの鱗片である。
【発明の効果】
【００２１】
本発明によれば、本発明の栽培床によって、種子の植付けを短時間且つ簡単な作業で行うことができる。
【００２２】
なお、本発明の他の目的、特徴及び利点は、添付図面に関する以下の本発明の実施例の記載から明らかになるであろう。
【図面の簡単な説明】
【００２３】
【図１】本発明の一実施形態としての栽培床の上面側から見た斜視図である。
【図２】図１の栽培床の上面図である。
【図３】図１の栽培床の、図２のＩＩＩ−ＩＩＩ線における矢印の方向から見た断面図である。
【図４】図１の栽培床を培養液上に浮遊させ、栽培床の孔に種子を戴置した場合の断面図である。
【図５】図１の栽培床の孔ににんにくの鱗片を戴置して水耕栽培した場合の上面方向から見た図である。
【発明を実施するための形態】
【００２４】
以下、本発明の実施例について図面を参照して説明するが、本発明はこれらの実施例に限定されるものではない。
【００２５】
図１〜図５を参照して、本発明の栽培床１０１の一実施形態を説明する。
【００２６】
図１に、本発明の一実施形態としての、上面側から斜視した、種子を戴置して水耕栽培するための栽培床１０１を示す。栽培床１０１は、平面状の本体１０２から構成されている。本体１０２は、水耕栽培の作業工程を簡易にするために、栽培床１０１が配置される培養液に浮遊することができる材料から構成されている。例えば、本体１０２は、木材、プラスチック材、発泡材、等から製造されている。本体１０２は、種子を戴置する上面側の第１の面１０３と、培養液に接する下面側の第２の面１０４とを有する。また本体１０２には、種子を戴置できるように、上面側である第１の面１０３から下面側である第２の面１０４まで貫通する孔１０５が設けられている。本体１０２には、複数の種子を戴置して栽培できるように、複数の孔１０５が設けられることもでき、これによって、小さいスペースにて多くの種子を同時に植え付けることができる。なお、孔１０５の形状は、図１においては円形に設定されているが、これに限られず、他の多角形、楕円形、等に設定されてもよく、種子の形状に合うように設定されてもよい。
【００２７】
図２に、上面側から視た栽培床１０１を示す。栽培床１０１の本体１０２には、複数の孔１０５が設けられ、各孔１０５の第１の面１０３に接する第１の領域１０６に、水耕栽培するための種子が戴置される。戴置する種子としては、例えば、にんにくの鱗片、らっきょうの鱗片、たまねぎの苗、等のネギ属の種子がある。
【００２８】
図３に、図２のＩＩＩ−ＩＩＩ線における矢印の方向から視た断面の栽培床１０１を示す。また図４に、培養液１０９上に浮遊させ、孔１０５に種子１１０を戴置した栽培床１０１を示す。孔１０５は、第１の面１０３に接する第１の領域１０６から中間領域１０７を介して第２の面１０４に接する第２の領域１０８まで貫通している。孔１０５の半径は、第１の領域１０６において、第１の面１０３から中間領域１０７に向かって小さくなっている。孔１０５の半径が第１の面１０３から第２の面１０４まで一定である場合、孔１０５の半径と寸法が同じ種子１１０でないならば（特に孔１０５の半径より大きい種子１１０を）孔１０５に収容することができないが、孔１０５の半径を、第１の領域１０６において、第１の面１０３から中間領域１０７に向かって小さくすることによって、孔１０５の半径と寸法が異なる種子１１０であっても（特に最も小さい半径を有する中間領域１０７における半径よりも大きい種子１１０であっても）孔１０５の第１の領域１０６に収容することができる。孔１０５の半径は、本体１０２に対する穿孔工程を容易にするために、第１の領域１０６において、第１の面１０３から中間領域１０７に向かって線形的に小さくなるようになっていてもよい。また、孔１０５の形状は、第１の領域１０６においてすり鉢状のような略円錐台であってもよい。
【００２９】
孔１０５の第１の領域１０６の寸法は、種子１１０の種類に応じて設定されてもよい。大きい種子１１０を第１の領域１０６に戴置して栽培する場合には、本体１０２にその種子１１０の大きい寸法に合わせるように第１の領域１０６において大きく穿孔し、また、小さい種子１１０を第１の領域１０６に戴置して栽培する場合には、本体１０２にその種子１１０の小さい寸法に合わせるように第１の領域１０６において小さく穿孔してもよい。
【００３０】
孔１０５の半径は、中間領域１０７において一定であってもよい。中間領域１０７の半径は、種子１１０をその寸法によって選別できるようにするために設定されてもよい。設定された中間領域１０７の半径より小さい寸法の種子１１０は、中間領域１０７を通り抜けて培養液１０９中に落ちてしまって栽培することができないため、中間領域１０７の半径によって、予め栽培するための種子１１０の寸法を選別することができる。
【００３１】
孔１０５の半径は、第２の領域１０８において、中間領域１０７から第２の面１０４に向かって大きくなっている。孔１０５の半径が中間領域１０７と第２の領域１０８において一定である場合、種子１１０の根１１１は種子１１０の下端から下方にしか育成することができず、培養液１０９から充分に養分を吸収することができないために、種子１１０の育成が遅くなる。そこで、第２の領域１０８における孔１０５の半径を、中間領域１０７における孔１０５の半径より大きくし、更に、中間領域１０７から第２の面１０４に向かって大きくすることによって、種子１１０の根１１１は種子１１０の下端から下方だけでなく斜め下方にも育成することができ、培養液１０９から充分に養分を吸収することができるために、種子１１０の育成を速くすることができる。孔１０５の半径は、本体１０２に対する穿孔工程を容易にするために、第２の領域１０６において、中間領域１０７から第２の面１０４に向かって線形的に大きくなるようになっていてもよい。また、孔１０５の形状は、第２の領域１０８においてすり鉢状のような略円錐台であってもよい。
【００３２】
培養液１０９上に栽培床１０１を配置し、栽培床１０１の孔１０５に種子１１０を戴置すると、栽培床１０１と種子１１０の重量によって、栽培床１０１の下部は培養液１０９の中に沈み、孔１０５の第２の領域１０８の少なくとも一部は培養液１０９によって浸水して、第２の領域１０８において培養液１０９の水面が上昇する。また、培養液１０９の表面張力によっても、第２の領域１０８において培養液１０９の水面が上昇する。第２の領域１０８の高さが大きいと、培養液１０９の水面が種子１１０の下端まで達しないため、種子１１０は培養液１０９から充分に養分を吸収することができない。また、第２の領域１０８の高さが小さいと、培養液１０９の水面が中間領域１０７、更には第１の領域１０６まで達し、種子１１０と培養液１０９との接触面が広くなって、種子１１０は腐敗する虞がある。そこで、孔１０５の第２の領域１０８の高さは、第２の領域１０８の少なくとも一部が培養液１０９によって浸水して種子１１０の下端まで培養液１０９が達し、種子１１０の下端のみが培養液１０９に接触できるように設定されてもよい。
【００３３】
図５に、栽培床１０１の孔１０５の第１の領域１０６に種子１１０としてにんにくの鱗片１１２を戴置して水耕栽培した実施例を示す。栽培床１０１の本体１０２は、発泡材から製造され、栽培床１０１の本体１０２には穿孔工程によって複数の孔１０５が設けられ、各孔１０５の第１の領域１０６ににんにくの鱗片１１２が戴置されている。この実施例においては、孔１０５の寸法を、図３を参照して説明すると、第１の領域１０６の上端直径φ１が２９ｍｍ、第１の領域１０６の下端直径（中間領域１０７の直径）φ２が２０ｍｍ、第２の領域１０８の上端直径φ３が２６ｍｍ、第２の領域１０８の下端直径φ４が２８ｍｍ、第１の領域１０６の高さｈ１が１６ｍｍ、中間領域１０７の高さｈ２が５ｍｍ、第２の領域１０８の高さｈ３が９ｍｍとなるように設定し、本体１０２の厚さは３０ｍｍである。このように栽培床１０１の本体１０２に孔１０５の寸法を設定することによって、にんにくの鱗片１１２を短時間且つ簡単に第１の領域１０６に戴置することができ、中間領域１０７における孔１０５の半径より小さいにんにくの鱗片１１２は中間領域１０７を通り抜けるために、中間領域１０７における孔１０５の半径より大きいにんにくの鱗片１１２のみを選別して栽培することができ、更に、第２の領域１０８が培養液１０９によって浸水してにんにくの鱗片１１２の下端まで達し、にんにくの鱗片１１２の下端のみが培養液１０９が接触することができる。そして、栽培床１０１の全ての孔１０５の第１の領域１０６に戴置されたにんにくの鱗片１１２から、葉鞘１１３が育成していることを確認することができ、栽培床１０１を使用することによって、にんにくを水耕栽培することができる。
【００３４】
上記記載は特定の実施例についてなされたが、本発明はそれに限らず、本発明の原理と添付の特許請求の範囲の範囲内で種々の変更及び修正をすることができることは当業者に明らかである。
【符号の説明】
【００３５】
１０１    栽培床
１０２    本体
１０３    第１の面
１０４    第２の面
１０５    種子孔
１０６    第１の領域
１０７    中間領域
１０８    第２の領域
１０９    培養液
１１０    種子
１１１    根
１１２    鱗片
１１３    葉鞘
【図１】
2019017321.tif 000003
【図２】
2019017321.tif 000004
【図３】
2019017321.tif 000005
【図４】
2019017321.tif 000006
【図５】
2019017321.tif 000007